(57)【要約】【課題】ＲＦＩＤタグを用いて加工設備の出入り口での加工対象ワークのシリアル番号や作業完了フラグ等の確認作業を確実に行うことで工程飛ばしや、２度加工の問題を解消できる加工物品の工程管理システムおよび方法を提供することを目的とする。【解決手段】ワークＷに装着されたＲＦＩＤタグ７と、加工設備ＯＰ１０、ＯＰ２０、…の入口側のＲＦＩＤタグリーダ５によって読み取った少なくともワークＷのシリアルＮｏ．前工程の作業完了フラグ、および当該工程の作業完了フラグの情報を基に、当該加工設備の起動可能を判定する手段１５と、出口側（入口側と兼用）のＲＦＩＤタグリーダ／ライタ５によって読み取った少なくとも加工対象ワークのシリアルＮＯ．を基に当該加工設備での加工作業の完了を判定する手段１７と、加工作業の完了を判定したときに完了フラグをＲＦＩＤタグに書き込む手段１９と、を備え、完了フラグをＲＦＩＤタグ７に書き込みを完了してから次の工程に進むことを特徴とする。【選択図】  図１
2012133723.tif 000002
【特許請求の範囲】
【請求項１】
加工物品を作業者の手扱いで加工設備間を搬送する加工ラインにおける加工物品の工程管理システムにおいて、
加工対象ワークに装着されたＲＦＩＤタグと、
加工設備の入口および出口に設けられＲＦＩＤタグに書き込まれている情報を読み取るＲＦＩＤタグリーダと、
入口側のＲＦＩＤタグリーダによって読み取った少なくとも加工対象ワークのシリアル番号、前工程の作業完了フラグ、および当該工程の作業完了フラグの情報を基に、当該加工設備の起動可能を判定する手段と、
出口側のＲＦＩＤタグリーダによって読み取った少なくとも加工対象ワークのシリアル番号を基に当該加工設備での加工作業の完了を判定する手段と、
前記加工作業の完了を判定したときに完了フラグをＲＦＩＤタグに書き込む手段と、
を備え、前記完了フラグをＲＦＩＤタグに書き込みを完了してから次の工程に進むことを特徴とする加工物品の工程管理システム。
【請求項２】
前記前工程の作業完了フラグが立っていて、且つ当該工程の作業完了フラグが立っていないときに、当該加工設備の起動が可能であると判定することを特徴とする請求項１記載の加工物品の工程管理システム。
【請求項３】
出口側のＲＦＩＤタグリーダによって読み取った加工対象ワークのシリアル番号が、入口側のＲＦＩＤタグリーダによって読み取ったシリアル番号と一致したときに、当該加工設備での加工作業が完了したと判定することを特徴とする請求項１記載の加工物品の工程管理システム。
【請求項４】
前記起動可能を判定する手段、および加工作業の完了を判定する手段は、それぞれの加工設備毎に備えられ、加工設備毎に起動の可能および加工作業の完了が判断され、完了フラグが工程を通過する毎にＲＦＩＤタグに書き込まれることを特徴とする請求項１記載の加工物品の工程管理システム。
【請求項５】
前記ＲＦＩＤタグには加工対象ワークのシリアル番号、工程ごとの完了フラグを書く領域が割り付けられており、これらデータがネットワークを介して工程管理装置に送信されて記憶される手段を備えたことを特徴とする請求項１乃至４のいずれか１項に記載の加工物品の工程管理システム。
【請求項６】
加工物品を作業者の手扱いで加工設備間を搬送する加工ラインにおける加工物品の工程管理方法において、
加工設備の入口および出口に設けられＲＦＩＤタグリーダによって、加工対象ワークに装着されたＲＦＩＤタグに書き込まれた情報を読み取り、
入口側のＲＦＩＤタグリーダによって読み取った少なくとも加工対象ワークのシリアル番号、前工程の作業完了フラグ、および当該工程の作業完了フラグの情報を基に、当該加工設備の起動可能を判定し、
出口側のＲＦＩＤタグリーダによって読み取ったＲＦＩＤタグに書き込まれた少なくとも加工対象ワークのシリアル番号を基に当該加工設備での加工作業の完了を判定し、
該完了を判定したときに完了フラグをＲＦＩＤタグに書き込み、次工程へ搬送されることを特徴とする加工物品の工程管理方法。
【請求項７】
前記前工程の作業完了フラグが立っていて、且つ当該工程の作業完了フラグが立っていないときに、当該加工設備の起動が可能であると判定して加工を開始することを特徴とする請求項６記載の加工物品の工程管理方法。
【請求項８】
出口側のＲＦＩＤタグリーダによって読み取った加工対象ワークのシリアル番号が、入口側のＲＦＩＤタグリーダによって読み取ったシリアル番号と一致したときに、当該加工設備での加工作業が完了したと判定することを特徴とする請求項６記載の加工物品の工程管理方法。
【発明の詳細な説明】
【技術分野】
【０００１】
本発明は、エンジンのシリンダヘッドやシリンダブロックの機械加工を行う加工設備が複数並んで構成される加工ラインにおいて、加工物品を自動搬送ではなく手動（手扱い）で各加工設備に搬送し、手動で加工設備に設置する加工物品の工程管理システムおよび方法に関する。
【背景技術】
【０００２】
複数の工程を経て加工対象である部品を加工する加工ラインにおいて、加工中の物品を管理するために、しばしば、ＲＦＩＤ（Ｒａｄｉｏ  Ｆｒｅｑｕｅｎｃｙ  Ｉｄｅｎｔｉｆｉｃａｔｉｏｎ）タグが用いられている。このＲＦＩＤタグは、ＩＣチップを搭載し、記録した情報の読み取りや書き込みを電波や電磁波等により非接触で行うことを可能とするものであり、搬送を伴う生産ラインにおけるデータの授受に好適である。
例えば、特開２００６−１３９４１０号公報（特許文献１）には、加工物品にＲＦＩＤタグを付し、加工工程への入出力時刻等の情報を取得することにより、工程内における加工物品の状況を管理する工程管理システムの例が示されている。
【０００３】
また、特開２００９−７５９４１号公報（特許文献２）には、搬送作業者に負担を掛けることなく、搬送中の物品の所在やその状態を管理するために、加工工程での加工が終了したとき、その加工が終了した加工物品のＲＦＩＤタグから物品ＩＤ読み出し、加工済物品置き場に仮置きされる加工物品の物品ＩＤを知る。これによって、加工物品が載置された台車ＩＤに対して、仮置きされた加工物品の物品ＩＤを紐付けでき、工程間を搬送中の加工物品の状態を管理することができるようにしている。
【先行技術文献】
【特許文献】
【０００４】
【特許文献１】特開２００６−１３９４１０号公報
【特許文献２】特開２００９−７５９４１号公報
【発明の概要】
【発明が解決しようとする課題】
【０００５】
前記特許文献１のように、加工物品が自動搬送されるものにあっては、自動搬送にてＲＦＩＤを読み取ることで、自動的に加工履歴データと加工物品との紐付けが確実になされるため工程管理を行い易い、また、特許文献２のように、台車ＩＤと加工済の物品ＩＤとを紐付けすることで、台車で搬送する搬送中まで含めた加工履歴データを取得することで、加工物品との紐付けが確実に行われる。
【０００６】
このように、前記特許文献１および特許文献２に示されるような工程管理手法は、自動搬送されて搬送物品の順序及び加工順序に一定の規則性があることが前提とされている。
しかし、自動搬送されないシステム、すなわち、加工設備間の加工物品の搬送や加工設備への加工物品の装着を、作業者の手動扱いによる場合においては、加工物品の搬送順序や装着順序に物理的強制がないため、つまり搬送工程や装着に作業者が介在するため、搬送順序や加工順序に柔軟性が生じ易くなり、加工物品と加工履歴データとの結びつきが不確実になり、加工物品の確実な加工履歴追跡（トレーサビリティ）が行い難い問題がある。
【０００７】
特に、機械加工を施す加工ラインにおいては、前工程がなされていない物品を当該工程の加工を施してしまう所謂工程飛ばしの問題や、さらに、当該加工工程を実施したにも関わらず、再び当該加工工程を実施してしまう所謂２度加工の問題を生じ易い。
【０００８】
そこで、かかる問題に鑑みて、自動搬送システムを備えない、加工物品の搬送や加工設備への装着を作業者による手動扱いによる加工ラインにおいて、ＲＦＩＤタグを用いて加工設備の出入り口での加工対象ワークのシリアル番号や作業完了フラグ等の確認作業を確実に行うことで工程飛ばしや、２度加工の問題を解消できる加工物品の工程管理システムおよび方法を提供することを目的とする。
【課題を解決するための手段】
【０００９】
前記課題を解決するために、第１発明は、加工物品の搬送や加工設備への装着を作業者の手動扱いによる加工ラインにおける加工物品の工程管理システムにおいて、
加工対象ワークに装着されたＲＦＩＤタグと、加工設備の入口および出口に設けられＲＦＩＤタグに書き込まれている情報を読み取るＲＦＩＤタグリーダと、入口側のＲＦＩＤタグリーダによって読み取った少なくとも加工対象ワークのシリアル番号、前工程の作業完了フラグ、および当該工程の作業完了フラグの情報を基に、当該加工設備の起動可能を判定する手段と、出口側のＲＦＩＤタグリーダによって読み取った少なくとも加工対象ワークのシリアル番号を基に当該加工設備での加工作業の完了を判定する手段と、前記加工作業の完了を判定したときに完了フラグをＲＦＩＤタグに書き込む手段と、を備え、前記完了フラグをＲＦＩＤタグに書き込みを完了してから次の工程に進むことを特徴とする。
【００１０】
かかる第１発明によれば、加工設備の入口に設けられたＲＦＩＤタグリーダによって、ＲＦＩＤタグに書き込まれているデータのうち少なくとも加工対象ワークのシリアル番号、前工程の作業完了フラグ、および当該工程の作業完了フラグの情報を基に、当該加工設備の起動可能を判定するので、つまり、具体的には、前記前工程の作業完了フラグが立っていて、且つ当該工程の作業完了フラグが立っていないときに、当該加工設備の起動が可能であると判定する。
【００１１】
前工程の作業完了フラグが立っていない場合には、前工程の作業が終了していないことを示しているため、所謂工程飛ばしの可能性がある。
また、当該工程の作業完了フラグが立っていない場合には、当該加工設備での加工が終了していないことを示しているため、所謂２度加工の可能性がある。
従って、前工程の作業完了フラグが立っていて、且つ当該工程の作業完了フラグが立っていないときに、当該加工設備の起動が可能であると判定して当該加工整備による加工を開始することで、前記工程飛ばしや２度加工の発生を防止できる。
【００１２】
また、第１発明によれば、出口側のＲＦＩＤタグリーダによって読み取った少なくとも加工対象ワークのシリアル番号を基に当該加工設備での加工作業の完了を判定するので、つまり、具体的には、出口側のＲＦＩＤタグリーダによって読み取った加工対象ワークのシリアル番号が、入口側のＲＦＩＤタグリーダによって読み取ったシリアル番号と一致したときに、当該加工設備での加工作業が完了したと判定する。
【００１３】
このように、加工が終了した時点で、シリアル番号が入口側で読み取ったシリアル番号と一致するか否かを判定することで加工物品に誤りがないかを確認でき、加工作業の完了を確実に判定できる。
【００１４】
また、第１発明において好ましくは、前記起動可能を判定する手段、および加工作業の完了を判定する手段は、それぞれの加工設備毎に備えられ、加工設備毎に起動の可能および加工作業の完了が判断され、完了フラグが工程を通過する毎にＲＦＩＤタグに書き込まれるとよい。
【００１５】
このように、加工設備毎に、起動可能および加工作業の完了を判定するので、加工設備毎に判定に必要な記憶手段や判定手段を設置することで、加工設備の追加や削減等の設備変更に対応しやすいシステムを構築できるとともに、加工設備毎の判定基準の変更への対応も容易である。
【００１６】
また、第１発明において好ましくは、前記ＲＦＩＤタグには加工対象ワークのシリアル番号、工程ごとの完了フラグを書く領域が割り付けられており、これらＲＦＩＤタグに書き込まれている工程ごとの完了フラグを含むデータがネットワークを介して工程管理サーバに送信されて記憶される手段を備えるとよい。
【００１７】
このように、ＲＦＩＤタグには加工対象ワークのシリアル番号、工程ごとの加工作業の完了フラグを書く領域が割り付けられているため、各加工設備における加工が完了した履歴情報が蓄積されていくので、ＲＦＩＤタグを読み込むことで、加工履歴を容易に確認できる。その結果、加工物品の確実な加工履歴追跡（トレーサビリティ）を行うことができる。
【００１８】
また、ＲＦＩＤタグに書き込まれている工程ごとの完了フラグを含むデータがネットワークを介して工程管理サーバに送信されて記憶されるので、端末から工程管理サーバへアクセスすることで、加工物品の加工履歴を容易に作業者および管理者等のデータ利用者に提供できるようになる。
【００１９】
また、第２発明は、加工物品の工程管理方法に関する発明であり、加工物品の搬送や加工設備への装着を作業者の手動扱いによる加工ラインにおける加工物品の工程管理方法において、
加工設備の入口および出口に設けられＲＦＩＤタグリーダによって、加工対象ワークに装着されたＲＦＩＤタグに書き込まれた情報を読み取り、入口側のＲＦＩＤタグリーダによって読み取った少なくとも加工対象ワークのシリアル番号、前工程の作業完了フラグ、および当該工程の作業完了フラグの情報を基に、当該加工設備の起動可能を判定し、出口側のＲＦＩＤタグリーダによって読み取ったＲＦＩＤタグに書き込まれた少なくとも加工対象ワークのシリアル番号を基に当該加工設備での加工作業の完了を判定し、該完了を判定したときに完了フラグをＲＦＩＤタグに書き込み、次工程への搬送を可能とすることを特徴とする。
【００２０】
第２発明において好ましくは、前記前工程の作業完了フラグが立っていて、且つ当該工程の作業完了フラグが立っていないときに、当該加工設備の起動が可能であると判定して加工を開始するとよく、さらに、出口側のＲＦＩＤタグリーダによって読み取った加工対象ワークのシリアル番号が、入口側のＲＦＩＤタグリーダによって読み取ったシリアル番号と一致したときに、当該加工設備での加工作業が完了したと判定するとよい。
【００２１】
このように、加工物品の工程管理方法にかかる第２発明によれば、前記加工物品の工程管理装置にかかる第１発明と同様に、前工程の作業完了フラグが立っていないときには、工程飛ばしの可能性があるため、加工設備による起動を開始しないようにし、さらに、当該工程の作業完了フラグが立っているときには、２度加工の可能性があるため、加工設備による起動を開始しないようにして、工程飛ばしや、２度加工の発生を防止できる。
【００２２】
さらに、出口側のＲＦＩＤタグリーダによって読み取った加工対象ワークのシリアル番号が、入口側のＲＦＩＤタグリーダによって読み取ったシリアル番号と一致したときに、当該加工設備での加工作業が完了したと判定して完了フラグをＲＦＩＤタグに書き込み、次工程への搬送を可能とするので、加工物品に誤りがないかを確認でき、加工作業の完了を確実に判定できる。
【発明の効果】
【００２３】
加工設備間の加工物品の搬送や加工設備への装着を作業者による手動扱いによる場合には、加工物品の搬送に物理的強制がないため、搬送に作業者が介在して搬送順序等に柔軟性が生じ易く、加工物品と加工履歴データとの結びつきが不確実になり、加工物品の確実な加工履歴追跡（トレーサビリティ）が行い難く、加工忘れによる加工工程飛ばしや２度加工の発生を生じやすい。
【００２４】
しかし、第１発明の加工物品の工程管理装置によれば、入口側のＲＦＩＤタグリーダによって読み取った少なくとも加工対象ワークのシリアル番号、前工程の作業完了フラグ、および当該工程の作業完了フラグの情報を基に、当該加工設備の起動可能を判定する手段と、出口側のＲＦＩＤタグリーダによって読み取った少なくとも加工対象ワークのシリアル番号を基に当該加工設備での加工作業の完了を判定する手段と、前記加工作業の完了を判定したときに完了フラグをＲＦＩＤタグに書き込む手段と、を備え、前記完了フラグがＲＦＩＤタグに書き込まれると次の工程に進むことが可能となるので、加工工程飛ばしや、２度加工の発生を防止できる。
また、第２発明の加工物品の工程管理方法においても、同様の作用効果が得られる。
【図面の簡単な説明】
【００２５】
【図１】実施形態にかかる工程管理システムの全体構成図である。
【図２−１】実施形態の工程管理システムにおける処理手順を示すフローチャートである。
【図２−２】図２−１の続きのフローチャートである。
【図３】実施形態のＲＦＩＤタグに書き込まれているデータの例を示す説明図である。
【図４】工程管理サーバに記憶、蓄積された加工履歴データの例を示す説明図である。
【発明を実施するための形態】
【００２６】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２７】
図１は、本発明の実施形態を示し、工程管理システムのシステム全体構成図である。
各加工設備ＯＰ１０、ＯＰ２０、ＯＰ３０、…が直列的に並んで設置されていて、加工対象物品であるワークＷが加工設備ＯＰ１０、次にＯＰ２０、次にＯＰ３０と搬送される例を示している。
なお、本実施形態においては、ワークＷは、エンジンのシリンダヘッド、またはシリンダブロック等のエンジン部品である。そして、加工設備は、マシニングセンタによって構成されており、マシニングセンタに装着されたワークＷは必要な機械加工（穴あけ、切削、研削等）が施される。各加工設備ＯＰ１０、ＯＰ２０、ＯＰ３０に沿って順次送られて一連の機械加工が施されるようになっている。
【００２８】
加工設備ＯＰ１０、ＯＰ２０、ＯＰ３０の間は、搬送手段としてコンベア、台車、キャリア等によってワークＷを、加工設備間を移動させ、加工前のワーク置場にワークＷが仮置きされる。そして作業者が加工設備、例えば加工設備ＯＰ１０にワークを装着する際に、加工前ワーク在席センサ３によって、加工前のワークＷの存在を確認する。
【００２９】
さらに、設備前ワーク在席センサ３によって、加工前のワークＷの存在を確認すると同時に、ＲＦＩＤタグリーダ／ライタ５によって、ＲＦＩＤタグに書き込まれた情報を取得する。
すなわち、ワークＷには、ＲＦＩＤタグを埋め込んだボルトであるボルトタグ（ＲＦＩＤタグ）７が取り付けられて、そのボルトタグ７に書き込まれた情報を取得する。
ＲＦＩＤタグリーダ／ライタ５は、設備前ワーク在席センサ３によって、加工前のワークＷの存在を確認する際に、ボルトタグ７に対向若しくは近傍に設置されるようになっている。
【００３０】
また、加工後のワークＷも設備前ワーク在席センサ３によりワークＷの存在を確認するとともに、ＲＦＩＤタグリーダ／ライタ５によってボルトタグ７に書き込まれている情報の読取り／書込みを行う。本実施形態においては、ＲＦＩＤタグリーダ／ライタ５が入口側のＲＦＩＤタグリーダと出口側のＲＦＩＤタグリーダとを兼ねている。
【００３１】
ボルトタグ７は、内部にＩＣチップが埋めこまれており、ワークＷであるシリンダヘッド、またはシリンダブロックに、加工の際にじゃまにならない位置、または他の部品と干渉しない位置に取り付けられ、ワークＷとともに各加工設備ＯＰ１０、ＯＰ２０、…を流れ、各加工設備における加工情報が書き込まれるようになっている。
また、このボルトタグ７、タグの内部のＩＣチップが切削加工の際に使用される切削油等の影響を受けないような材料で形成されている。
【００３２】
なお、このＲＦＩＤ（Ｒａｄｉｏ  Ｆｒｅｑｕｅｎｃｙ  Ｉｄｅｎｔｉｆｉｃａｔｉｏｎ）タグとは、ＩＤ情報を埋め込んだＲＦＩＤタグから、電磁界や電波などを用いた近距離（周波数帯によって数ｃｍ〜数ｍ）の無線通信によって情報をやりとりするものであり、記録した情報の読み取りや書き込みを電波や電磁波等により非接触で行うことを可能とするため、データの授受に適している。
【００３３】
加工設備ＯＰ１０、ＯＰ２０、ＯＰ３０、…にはそれぞれ、加工設備を制御する設備制御装置１３が設けられている。
設備制御装置１３には、設備前面側に設置されたＲＦＩＤタグリーダ／ライタ５からの信号、設備前ワーク在席センサ３からの信号がそれぞれ入力される。
また、設備制御装置１３には、設備前面側に設置されたＲＦＩＤタグリーダ／ライタ５からの信号によって、ボルトタグ７に書き込まれたワークＷのシリアル番号、前工程すなわち図示しないＯＰ１０の前の加工設備の作業完了フラグ、および当該工程、すなわち加工設備ＯＰ１０の作業完了フラグの情報を基に、当該加工設備ＯＰ１０の起動可能を判定する起動判定手段１５が設けられている。
【００３４】
さらに、設備制御装置１３には、設備前面側のＲＦＩＤタグリーダ／ライタ５によって読み取ったワークＷのシリアル番号を基に当該加工設備ＯＰ１０での加工作業の完了を判定する加工完了判定手段１７、および、加工完了判定手段１７によって作業の完了を判定したときに完了フラグをボルトタグ７にＲＦＩＤタグリーダ／ライタ５によって書き込む書込み手段１９を備え、完了フラグがボルトタグ７に書き込まれると次の工程に進むことができるようになっている。
【００３５】
また、図１に示すように、各加工設備ＯＰ１０、ＯＰ２０、ＯＰ３０の設備制御装置１３は、ネットワーク２１を介して工程管理サーバ２３と接続されている。そして工程管理サーバ２３はネットワーク２５を介して利用者の端末２７に接続されている。
工程管理サーバ２３には、各加工設備から送られるワークＷの加工履歴が記憶され、データ整理されて、利用者に提供される。
【００３６】
なお、加工設備から工程管理サーバ２３への加工履歴データは、ボルトタグ７に書き込まれて蓄積されている。
このため、加工設備毎の加工完了とともに加工履歴データを工程管理サーバ２３に送信して工程管理サーバ２３側の記憶手段に記憶することをせずに、最終加工を行った加工設備の設備制御装置１３を介してボルトタグ７に記憶されている加工履歴データを全て工程管理サーバ２３に送信して工程管理サーバ２３側の記憶手段に記憶するようにしてもよい。
【００３７】
次に、設備制御装置１３の処理手順を、図２−１、図２−２のフローチャートを参照して説明する。
まず、ステップＳ１では、加工前ワーク在席センサ３によって、在席があるか否かを判定し加工前のワークＷの存在を確認する。在席を確認するとステップＳ２で、ボルトタグ７に書き込まれているデータを、設備前面側に設置されたＲＦＩＤタグリーダ／ライタ５によって取得する。
【００３８】
取得するデータは、少なくとも加工対象のワークＷのシリアル番号、前工程の作業完了フラグ、および当該工程の作業完了フラグの情報である。
図３には、ボルトタグ７に記憶されるデータの一例を示す。図３のように、「データ名」、「投入時間」、「ラインコード」、「シリアルＮｏ．」、「機種コード」、「設備Ｎｏ．」、「作業フラグ」等の情報が書き込まれている。
加工設備ＯＰ１０、ＯＰ２０、ＯＰ３０、…毎に作業フラグが書き込まれるようになっている。
【００３９】
次に、ステップＳ３で、既に当該加工設備の作業完了フラグが立っているか否かを判定する。例えば当該加工設備が加工設備ＯＰ１０の場合には、ボルトタグ７から読み取った情報の中に、加工設備ＯＰ１０の作業完了フラグが立っているか否かを判定する。
作業完了フラグが立っている場合には、既に加工設備ＯＰ１０の作業が完了しているため、２度加工の恐れがあるので、ステップＳ５に進んで、ボルトタグ７に記憶されているシリアルＮｏ．のデータを設備制御装置１３の記憶部３１には記憶せずに、ステップＳ６に進んで、ワークＷを設備前ワーク座席センサ３による検出位置から外して、次工程に移動して正常工程に戻す。
【００４０】
また、ステップＳ３で当該加工設備の作業完了フラグが立っていない場合には、ステップＳ４に進んで、次に、前工程の作業完了フラグが立っているか否かを判定する。
作業完了フラグが立っていない場合には、加工飛ばしの恐れがあるため、ステップＳ５に進んで、ボルトタグ７に記憶されているシリアルＮｏ．のデータを設備制御装置１３の記憶部３１には記憶せずに、ステップＳ６に進んで、ワークＷを設備前ワーク座席センサ３による検出位置から外して、前工程に移動して正常工程に戻すように報知する。
【００４１】
次に、ステップＳ４で前工程の作業完了フラグが立っている場合には、ステップＳ７に進んで、ボルトタグ７に記憶されているシリアルＮｏ．を設備制御装置１３の記憶部３１に記憶する。
次に、ステップＳ８では、加工設備、例えば加工設備ＯＰ１０に、作業者がワークＷを装着して、機械加工の自動運転を開始する。
【００４２】
そして、加工が済んだらステップＳ９で、加工済みワークＷを取り出して、設備前にワークＷを仮置きして、再度ボルトタグ７に記憶されているデータを、ＲＦＩＤタグリーダ／ライタ５によって取得する。
そして、ステップＳ１０において、加工前にステップＳ７で記憶したワークＷのシリアルＮｏ．と、今回加工が終了したワークＷに取り付けられているボルトタグ７から読み取ったシリアルＮｏ．とを照合して、一致しているか否かを判定する。
【００４３】
ステップＳ１０で一致していないと判定した場合には、ステップＳ１１に進んで、加工したワークＷに誤りがあったことを報知する。
一方、一致している場合には、当該加工設備において加工作業が完了したことを確認できたためその結果として、ステップＳ１２において、ボルトタグ７内の記憶部に作業完了フラグをボルトタグ７にＲＦＩＤタグリーダ／ライタ５によって書き込む。
【００４４】
次に、ステップＳ１３に進んで、設備制御装置１３の記憶部３１に記憶されている、加工処理したワークＷに関する、「シリアルＮｏ．」、「設備Ｎｏ．」、「加工日時」等のデータを工程管理サーバ２３に送信して、該サーバ２３に記憶する。
【００４５】
そして、ステップＳ１４では、工程管理サーバ２３に送信した段階で、設備制御装置１３の記憶部３１に記憶されているデータをリセットして、次に搬入される新たなワークＷに対するデータを記憶するように初期化する。そして終了する。
【００４６】
なお、ステップＳ１４において、各設備制御装置１３の記憶部３１に記憶されているデータを工程管理サーバ２３に送信して工程管理サーバ２３内の記憶部に記憶することによって、設備制御装置１３の記憶部３１に記憶されているデータをリセットすることを説明したが、前述したように、ボルトタグ７内においても加工履歴が書き込まれているため、最終の加工設備による加工作業が終了した段階で、ボルトタグ７に書き込まれている過去分の履歴データをまとめて設備制御装置１３を介して工程管理サーバ２３に送信するようにしてもよい。
【００４７】
このように、最終加工を行った加工設備の設備制御装置１３を介してボルトタグ７に記憶されている加工履歴データを全て工程管理サーバ２３に送信するようにすると、各加工設備ＯＰ１０、ＯＰ２０、ＯＰ３０、…でのデータ送信制御装置や工程管理サーバ２３側の受信制御装置を簡素化でき、システム構成を簡単化することができる。
ステップＳ１〜Ｓ１４までの手順の後に、次の加工設備に搬送されて、また同様の処理手順を繰り返す。
【００４８】
また、工程管理サーバ２３に送信された、加工履歴データは、記憶、整理されて、例えば図４に示すような構成で記憶される。
図４において、「ラインコード」は、加工ラインの番号であり、「機種」は、加工対象物品のシリンダヘッド、またはシリンダブロックが適用される機種を識別するコード番号であり、「シリアルＮｏ．」は、ワークＷを識別するための番号であり、「設」は設備コード、「作」は作業フラグ、例えば作業完了等のフラグ情報が記載される。また、「異」は異常コードを示し、加工工程中に異常が発生したか否かのフラグ情報が設定される。
【００４９】
以上の処理手順のように、ワークＷの加工設備ＯＰ１０、ＯＰ２０、…への投入の際に、設備前面側のＲＦＩＤタグリーダ／ライタ５による読取り情報を基にステップＳ３の判定によって、加工作業が完了したことを忘れて、同じ加工工程を流してしまう２度加工を確実に防止でき、さらに、ステップＳ４の判定によって、加工していないのに加工したと勘違いして加工工程を飛ばしてしまう加工飛ばしを確実に防止できる。
【００５０】
さらに、ステップＳ１０の判定によって、設備前面側のＲＦＩＤタグリーダ／ライタ５によって読み取った加工対象ワークのシリアルＮｏ．が、加工前に読み取ったシリアルＮｏ．と一致したときに、当該加工設備での加工作業が完了したと判定して完了フラグをボルトタグ７に書き込み、次工程への搬送を可能とするので、加工物品に誤りがないかを確認でき、加工作業の完了を確実に判定できる。
【００５１】
また、以上のように、加工飛ばしや、２度加工のワークＷが防止されるため、加工ラインを流れるワークと加工履歴データとの結びつきが確実になり、ワークＷの確実な加工履歴追跡（トレーサビリティ）が行われる。
【産業上の利用可能性】
【００５２】
本発明によれば、ＲＦＩＤタグを用いて加工設備の出入り口での加工対象ワークのシリアル番号や作業完了フラグ等の確認作業を確実に行うことで工程飛ばしや、２度加工の問題を解消できるので、自動搬送システムを備えない、加工物品の搬送や加工設備への装着を作業者による手動扱いによる加工ラインにおける加工物品の工程管理システムおよび工程管理方法に適している。
【符号の説明】
【００５３】
３  加工前ワーク在席センサ
５  ＲＦＩＤタグリーダ／ライタ
７    ボルトタグ（ＲＦＩＤタグ）
１３  設備制御装置
１５  起動判定手段
１７  加工完了判定手段
１９  書込み手段
２１、２５  ネットワーク
２３  工程管理サーバ
２７  端末
３１  設備制御装置の記憶部
ＯＰ１０、ＯＰ２０、ＯＰ３０  加工設備
Ｗ  ワーク（加工対象ワーク）
【図１】
2012133723.tif 000003
【図２−１】
2012133723.tif 000004
【図２−２】
2012133723.tif 000005
【図３】
2012133723.tif 000006
【図４】
2012133723.tif 000007